(57)【要約】【課題】  光記録媒体のデザイン性を高める。【解決手段】  本発明による光記録媒体１０は、データを保持可能な機能層を有するほぼ透明なディスク本体１１と、機能層からみて光入射面１１ａとは反対側に設けられたレーベル印刷層１２を備え、レーベル印刷層１２には蛍光体が含まれている。ほぼ透明なディスク本体１１は、データの記録時及び／又は再生時に照射されるレーザビームを透過することから、レーザビームがレーベル印刷層１２に含まれる蛍光体に照射されることになる。これにより、再生位置や記録位置に対応する領域が発光するといった新しいデザインを光記録媒体に与えることが可能となる。【選択図】          図１
2006031792.tif 000002
【特許請求の範囲】
【請求項１】
データを保持可能な機能層と、前記機能層からみて光入射面とは反対側に設けられ、データの記録時及び／又は再生時にレーザビームが照射される蛍光体を含む層とを備えることを特徴とする光記録媒体。
【請求項２】
前記光入射面とは反対側から前記蛍光体を含む層が視認可能であること特徴とする請求項１に記載の光記録媒体。
【請求項３】
前記蛍光体を含む層は、前記機能層を含むディスク本体のレーベル面側に設けられたレーベル印刷層であること特徴とする請求項１又は２に記載の光記録媒体。
【請求項４】
前記機能層を含むディスク本体のレーベル面側に設けられたレーベル印刷層をさらに備え、前記蛍光体を含む層は、前記ディスク本体の前記レーベル面と前記レーベル印刷層との間に設けられた蛍光体層であること特徴とする請求項１又は２に記載の光記録媒体。
【請求項５】
前記レーザビームの波長が約４０５ｎｍであることを特徴とする請求項１乃至４のいずれか１項に記載の光記録媒体。
【発明の詳細な説明】
【技術分野】
【０００１】
本発明は光記録媒体に関し、特に、デザイン性が高められた光記録媒体に関する。
【背景技術】
【０００２】
従来より、デジタルデータを記録するための記録媒体として、ＣＤ（Compact Disc）やＤＶＤ（Digital Versatile Disc）に代表される光記録媒体が広く利用されている。これらの光記録媒体は、ＣＤ−ＲＯＭやＤＶＤ−ＲＯＭのようにデータの追記や書き換えができないタイプの光記録媒体（ＲＯＭ型光記録媒体）、ＣＤ−ＲやＤＶＤ−Ｒのようにデータの追記はできるがデータの書き換えができないタイプの光記録媒体（追記型光記録媒体）、さらには、ＣＤ−ＲＷやＤＶＤ−ＲＷのようにデータの書き換えが可能なタイプの光記録媒体（書き換え型光記録媒体）に大別することができる。
【０００３】
これらの光記録媒体に対するデータの記録や再生には、いずれもレーザビームが用いられることから、光記録媒体にはレーザビームを反射するための「反射層」が一般に設けられる。反射層の材料としては、アルミニウム（Ａｌ）や銀（Ａｇ）を主成分とする合金など、反射率の高い金属材料が用いられることが多く、このため、光入射面側からレーベル面は視認できないのが通常である（特許文献１）。
【特許文献１】特開平１−１２８２３４号公報
【発明の開示】
【発明が解決しようとする課題】
【０００４】
しかしながら、青色波長領域のレーザビームが用いられる次世代型の光記録媒体では、書き換え可能なタイプの反射率を考慮すると、反射層の材料として金属以外の材料（酸化物など）を選択したり、場合によっては、反射層自体を省略するといったことが可能となる。反射層の材料として透過率の高い材料を用いたり反射層自体を省略したりすると、ディスク本体の透明度が極めて高くなることから、光入射面側から入射したレーザビームの大部分がレーベル面側まで到達することになる。このことは、従来困難であった新たなデザインを光記録媒体に与え得るものと考えられる。
【０００５】
したがって、本発明の目的は、デザイン性を高めることが可能な光記録媒体を提供することである。
【課題を解決するための手段】
【０００６】
本発明による光記録媒体は、データを保持可能な機能層と、前記機能層からみて光入射面とは反対側に設けられ、データの記録時及び／又は再生時にレーザビームが照射される蛍光体を含む層とを備えることを特徴とする。本発明によれば、再生位置や記録位置に対応する領域が発光するといった新しいデザインを光記録媒体に与えることが可能となる。本発明において、光入射面とは反対側から蛍光体を含む層が視認可能であることが好ましい。これによれば、蛍光体を含む層の発光を光入射面とは反対側から目視することが可能となる。
【０００７】
蛍光体を含む層は、機能層を含むディスク本体のレーベル面側に設けられたレーベル印刷層であることが好ましい。このように、レーベル印刷層自体に蛍光体を含ませれば、従来に比べて製造工程が特に増えることもない。
【０００８】
本発明による光記録媒体は、機能層を含むディスク本体のレーベル面側に設けられたレーベル印刷層をさらに備え、蛍光体を含む層は、ディスク本体のレーベル面とレーベル印刷層との間に設けられた蛍光体層であることもまた好ましい。これによれば、レーベル印刷層に蛍光体を混入することが困難な場合であっても、再生位置や記録位置に対応する領域を発光させることができる。
【０００９】
蛍光体は、ディスク本体のほぼ全面に形成されていても構わないが、径方向に連続的に配置したり、径方向に断続的に配置することも可能である。また、蛍光体を含む層に複数種類の蛍光体が含ませることも可能である。
【００１０】
レーザビームの波長は、約４０５ｎｍであることが好ましい。波長が４０５ｎｍのレーザビームが用いられる光記録媒体は、いわゆる次世代型の光記録媒体である。このような短波長のレーザビームが使用される光記録媒体であれば、赤・黄・緑など、様々な色を発色させることが可能となる。
【発明の効果】
【００１１】
このように、本発明によれば、再生位置や記録位置に対応する領域が発光するといった新しいデザインを光記録媒体に与えることが可能となる。したがって、記録時や再生時にレーベル印刷層を目視可能なタイプのドライブ（記録再生装置）や、光入射面を目視可能なタイプのドライブを用いて記録や再生を行うと、蛍光体を含む層が円環状に発光する様子を視認することができる。
【発明を実施するための最良の形態】
【００１２】
以下、添付図面を参照しながら、本発明の好ましい実施の形態について詳細に説明する。
【００１３】
図１は、本発明の好ましい実施形態による光記録媒体１０の外観を模式的に示す切り欠き斜視図である。
【００１４】
本実施形態による光記録媒体１０は、外径が約１２０ｍｍ、厚みが約１．２ｍｍである円盤状の光記録媒体であり、図１に示すように、ディスク本体１１と、ディスク本体１１のレーベル面１１ｂに設けられたレーベル印刷層１２とを備えて構成されている。また、光記録媒体１０の中心部には中心孔１３が設けられている。
【００１５】
ディスク本体１１は、記録時及び／又は再生時にレーザビームが照射される光入射面１１ａとその裏面であるレーベル面１１ｂとを有しており、光入射面１１ａ側から入射したレーザビームがレーベル面１１ｂ側まで到達可能な程度の透明度を有している。ディスク本体１１の種類については特に限定されず、ＣＤ−ＲＯＭ、ＣＤ−Ｒ、ＣＤ−ＲＷ等のＣＤ型ディスク、ＤＶＤ−ＲＯＭ、ＤＶＤ−Ｒ、ＤＶＤ−ＲＷ等のＤＶＤ型ディスク、さらには、青色波長領域のレーザビームが用いられる次世代型の光ディスクを用いることが可能である。但し、光入射面１１ａ側から入射したレーザビームがレーベル面１１ｂ側まで到達可能な程度の透明度を持たせるためには、ＤＶＤ型ディスク又は次世代型の光ディスクを用いることが好ましく、なかでも、次世代型の光ディスクを用いることが特に好ましい。これは、ＤＶＤ型ディスクや次世代型の光ディスク、特に次世代型の光記録媒体では、求められる反射率が相対的に低いからである。
【００１６】
図２は、本発明の適用が可能なディスク本体１１のいくつかの例を示す図であり、（ａ）は次世代型ディスク、（ｂ）はＤＶＤ型ディスクの断面をそれぞれ示している。
【００１７】
図２（ａ）に示すように、次世代型ディスクは、一方の面がレーベル面１１ｂとなる厚さ約１．１ｍｍの支持基板２１と、支持基板２１の他方の面に設けられた機能層２２と、機能層２２を覆う厚さ約０．１ｍｍの光透過層２３とを備え、光透過層２３の表面が光入射面１１ａとなる。したがって、ディスク本体１１として図２（ａ）に示す次世代型のディスクを用いる場合には、支持基板２１の表面（レーベル面１１ｂ）にレーベル印刷層１２が設けられることになる。
【００１８】
支持基板２１の材料としては、記録時及び／又は再生時に照射される青色波長領域（例えば約４０５ｎｍ）のレーザビームをある程度透過する材料を用いる必要がある。このような材料としては、ポリカーボネート樹脂、ポリオレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等の樹脂を好ましく挙げることができる。中でも、優れた加工性を有する等の理由から、ポリカーボネート樹脂又はポリオレフィン樹脂を用いることが特に好ましい。
【００１９】
光透過層２３は、記録時及び／又は再生時に照射されるレーザビームの光路となることからレーザビームの波長領域において透明な材料を用いる必要がある。このような材料としては、アクリル系又はエポキシ系の紫外線硬化性樹脂を好ましく挙げることができる。また、紫外線硬化性樹脂を硬化させてなる膜のかわりに、光透過性樹脂からなる光透過性シートと各種接着剤や粘着剤を用いて光透過層２３を形成してもよい。
【００２０】
機能層２２の構造や材料はディスクの種類によって異なる。つまり、ＲＯＭ型ディスクの場合、機能層２２は、図３に示すように反射層２２ａによって構成することができ、追記型ディスクの場合、機能層２２は、図４に示すように反射層２２ａとその表面に設けられた記録層２２ｂによって構成することができ、書き換え型ディスクの場合、機能層２２は、図５に示すように記録層２２ｂと、これを挟んで設けられた複数の誘電体層２２ｃと、反射層２２ａとによって構成することができる。
【００２１】
本発明では、光入射面１１ａ側から入射したレーザビームがレーベル面１１ｂ側まで到達可能である必要があるため、いずれの層も透明度の高い材料を選択する必要がある。したがって、反射層２２ａの材料については、アルミニウム（Ａｌ）や銀（Ａｇ）を主成分とする合金など、反射率の高い金属材料ではなく、シリコン（Ｓｉ）や酸化チタン（ＴｉＯ２）など、所定以上の反射率を有し且つ透過率の高い材料を選択するか、或いは省略することが好ましい。記録層２２ｂについては、追記型ディスクの場合、誘電体母材（ＺｎＳとＳｉＯ２の混合物など）にマグネシウム（Ｍｇ）及び／又はアルミニウム（Ａｌ）が添加された材料や、ビスマス（Ｂｉ）と酸素（Ｏ）を主成分とする材料を用いることが好ましく、書き換え型ディスクの場合には、相変化材料を用いることが好ましい。誘電体層２２ｃについては、ＺｎＳとＳｉＯ２の混合物など透明な誘電体材料を用いることが好ましい。このような材料を選択すれば、ディスク本体１１はほぼ透明となり、光入射面１１ａ側から入射したレーザビームの大部分がレーベル面１１ｂ側まで到達することになる。
【００２２】
追記型ディスクにおける記録層２２ｂは、例えば、ＺｎＳとＳｉＯ２を主成分とする混合ターゲットと、マグネシウム（Ｍｇ）を主成分とするターゲットの両方を用いてスパッタリングを行うことにより形成することができる。本発明者らの試作によれば、この方法により形成した記録層２２ｂに含まれるＺｎ、Ｓｉ、Ｍｇ、Ｏ、Ｓの組成は、それぞれ２１．５、１０．１、２０．８、２０．１、２７．５原子％となった。このような組成を有する記録層２２ｂは高い透明性を有しており、その厚さを約３２ｎｍとすることにより良好な信号特性を得ることができる。
【００２３】
また、追記型ディスクにおける記録層２２ｂは、ＬａＳｉＯＮ（Ｌａ２Ｏ３，ＳｉＯ２及びＳｉ３Ｎ４の混合物）を主成分とする混合ターゲットと、マグネシウム（Ｍｇ）を主成分とするターゲットの両方を用いてスパッタリングを行うことによっても形成することができる。本発明者らの試作によれば、この方法により形成した記録層２２ｂに含まれるＬａ、Ｓｉ、Ｍｇ、Ｏ、Ｎの組成は、それぞれ６．２、２４．１、２３．１、２４．６、２２．０原子％となった。このような組成を有する記録層２２ｂも高い透明性を有しており、その厚さを約３２ｎｍとすることにより良好な信号特性を得ることができる。
【００２４】
さらに、追記型ディスクにおける記録層２２ｂは、例えば、ビスマス（Ｂｉ）を主成分とするターゲットを用い、アルゴンと酸素雰囲気下でスパッタリングすることによっても形成することができる。本発明者らの試作によれば、この方法により形成した記録層２２ｂに含まれるＢｉ、Ｏの組成は、それぞれ２７原子％、７３原子％となった。このような組成を有する記録層２２ｂも高い透明性を有しており、その厚さを約４５ｎｍとすることにより良好な信号特性を得ることができる。尚、ビスマス（Ｂｉ）と酸素（Ｏ）を主成分とする記録層は、酸素の割合を６３原子％以上とすれば透明となる。
【００２５】
一方、図２（ｂ）に示すように、ＤＶＤ型ディスクは、一方の面が光入射面１１ａとなる厚さ約０．６ｍｍの光透過性基板３１と、一方の面がレーベル面１１ｂとなる厚さ約０．６ｍｍのダミー基板３２と、光透過性基板３１の他方の面に設けられた機能層３３と、機能層３３を覆う保護層３４と、光透過性基板３１、機能層３３及び保護層３４からなる積層体とダミー基板３２とを接着する接着層３５とを備えている。したがって、ディスク本体１１として図２（ｂ）に示すＤＶＤ型のディスクを用いる場合、ダミー基板３２の表面（レーベル面１１ｂ）にレーベル印刷層１２が設けられることになる。
【００２６】
光透過性基板３１の材料としては、記録時及び／又は再生時に照射されるレーザビームの波長領域（例えば約６５０ｎｍ）において透明な材料を用いる必要があり、ダミー基板３２の材料としては、記録時及び／又は再生時に照射されるレーザビームをある程度透過する材料を用いる必要がある。このような材料としては、ポリカーボネート樹脂やオレフィン樹脂など、支持基板２１の好ましい材料として挙げた材料を選択すればよい。また、保護層３４や接着層３５の材料についても、紫外線硬化性樹脂など、レーザビームをある程度透過する材料を選択する必要がある。機能層３３の構造や材料は、次世代型の光記録媒体と同様、ディスクの種類によって異なるが、ＤＶＤ−Ｒ等の追記型のＤＶＤ型ディスクでは、記録層の材料として一般に有機色素が用いられることから、本発明を追記型のＤＶＤ型ディスクに適用することは困難であると考えられる。
【００２７】
特に限定されるものではないが、本発明において、ディスク本体１１は次世代型の再生専用（ＲＯＭ型）ディスクを選択することが最も好ましい。これは、記録密度の高い次世代型の光記録媒体は要求される反射率が低く、また、再生専用ディスクは全体の層数を最も少なくすることができるため、高い透明度を得やすいからである。ディスク本体１１として次世代型の再生専用ディスクを採用する場合、支持基板２１のレーベル面１１ｂとは反対側の面には、螺旋状又は同心円状にピット列が形成され、これによってデータが保持されることになる。
【００２８】
レーベル印刷層１２は、上述の通りディスク本体１１のレーベル面１１ｂに設けられる層であり、レーベル面側をデザインするための層である。したがって、本実施形態による光記録媒体１０がＲＯＭ型の光記録媒体であり、映画が収録されているとすれば、この映画のタイトルなどを含むパッケージデザインなどが印刷され、音楽が収録されているとすれば、アルバムタイトルやアーチスト名などを含むジャケットデザインなどが印刷される。
【００２９】
レーベル印刷層１２は主としてインク等によって構成されるが、本実施形態では、これに加えて「蛍光体」が含まれている。蛍光体としては、少なくとも記録時及び／又は再生時に照射されるレーザビームを受けて発光する性質を有している必要がある。本実施形態による光記録媒体１０は、このような蛍光体がレーベル印刷層１２に含まれていることから、ディスク本体１１のレーベル面１１ｂ側まで到達したレーザビームがレーベル印刷層１２に照射され、これによってレーベル印刷層１２を発光させることが可能となる。これにより、全く新しいデザインを光記録媒体に与えることが可能となる。
【００３０】
したがって、図６に示すように、記録時や再生時にレーベル印刷層１２を目視可能なタイプのドライブ（記録再生装置）１００を用いて記録や再生を行うと、現在の再生位置又は記録位置１１０を通る円環状の領域１１１が発光する様子を目視することができる。また、光入射面１１ａ側を目視可能なタイプのドライブを用いた場合であっても、ディスク本体１１を通して、レーベル印刷層１２が円環状に発光する様子を視認することができる。
【００３１】
尚、蛍光体はレーベル印刷層１２の全面にほぼ均一に含まれていても構わないが、図７に示すように、レーベル印刷層１２のうち、径方向へ連続的に延びるストライプ状の領域１２ａにのみ含まれていても構わない。この場合、発光するのはストライプ状の領域１２ａのみであるが、光記録媒体１０は記録時や再生時に高速回転することから、残像により円環状に発光しているように見える。
【００３２】
また、図８に示すように、レーベル印刷層１２のうち、径方向へ断続的に配置された領域１２ｂにのみ蛍光体が含まれていても構わない。この場合、再生位置又は記録位置が領域１２ｂに達した場合にだけ発光することから、例えば、一定の間隔（例えば１分ごと）で発光させたり、所望のタイミング（例えば曲間）で発光させることが可能となる。
【００３３】
さらに、レーベル印刷層１２に複数種類の蛍光体を含ませることも好ましい。例えば、図９に示すように、同心円状に交互に配置された領域１２ｃ、１２ｄに赤く発光する蛍光体と青く発光する蛍光体をそれぞれ含ませれば、再生位置又は記録位置によって異なる蛍光色を得ることが可能となる。また、この光記録媒体１０に音楽が収録されている場合、それぞれの曲に対応する領域に異なる蛍光体を含ませれば、再生中の曲によって異なる蛍光色を得ることも可能となる。
【００３４】
このように、本実施形態による光記録媒体１０は、レーベル印刷層１２に蛍光体が含まれていることから、再生位置や記録位置に対応する領域が発光するといった新しいデザインを光記録媒体に与えることが可能となる。また、レーベル印刷層１２自体に蛍光体を含ませていることから、従来に比べて製造工程が特に増えることもない。
【００３５】
図１０は、本発明の好ましい他の実施形態による光記録媒体の外観を模式的に示す切り欠き斜視図である。
【００３６】
図１０に示すように、本実施形態による光記録媒体４０は、ディスク本体１１のレーベル面１１ｂ上に、蛍光体層４１及びレーベル印刷層４２がこの順に設けられている点において、上記実施形態による光記録媒体１０と異なる。その他の点については光記録媒体１０と同様であることから、同じ要素には同じ符号を付し、重複する説明は省略する。
【００３７】
蛍光体層４１は蛍光体が含まれている層である。また、レーベル印刷層４２はレーベル面側をデザインするための層であり、光入射面１１ａとは反対側から蛍光体層４１を視認可能な程度の薄さを有している。このように、本実施形態による光記録媒体４０では、レーベル印刷層４２自体に蛍光体が含まれているのではなく、レーベル印刷層４２の下地である蛍光体層４１に蛍光体が含まれている。したがって、記録時や再生時に照射されたレーザビームがディスク本体１１を通って蛍光体層４１に照射されると、蛍光体層４１に含まれる蛍光体が発光し、これをレーベル印刷層４２を介して目視することができる。
【００３８】
このように、本実施形態では、レーベル印刷層４２と蛍光体層４１が別個の層であることから、レーベル印刷層４２に蛍光体を混入することが困難な場合であっても、再生位置や記録位置に対応する領域が発光するといった新しいデザインを光記録媒体に与えることが可能となる。また、レーベル印刷層４２と蛍光体層４１が別個の層であることから、図７乃至図９を用いて説明したように、蛍光体を部分的に配置したり、複数の蛍光体を異なる位置に配置することが極めて容易となる。
【００３９】
本発明は、以上説明した実施の形態に限定されることなく、特許請求の範囲に記載された発明の範囲内で種々の変更が可能であり、それらも本発明の範囲内に包含されるものであることはいうまでもない。
【００４０】
例えば、上記各実施形態にかかる光記録媒体１０，４０では、いずれもディスク本体１１のレーベル面１１ｂ側に蛍光体を含む層（光記録媒体１０ではレーベル印刷層１２、光記録媒体４０では蛍光体層４１）を設けているが、支持基板２１，３２（図２参照）自体に蛍光体を含ませることも可能である。また、ディスク本体１１がＤＶＤ型のディスクである場合（図２（ｂ））には、接着層３５に蛍光体を含ませたり、保護層３４と接着層３５との間又は支持基板１２と接着層３５との間に蛍光体を含む層を別途設けることも可能である。
【００４１】
また、上記各実施形態にかかる光記録媒体１０，４０は、いずれも光入射面１１ａとは反対側から蛍光体を含む層が視認可能であるが、本発明による光記録媒体は、光入射面側及び光入射面とは反対側の少なくとも一方から蛍光体を含む層が視認可能であれば足りる。
【００４２】
尚、上記各実施形態にかかる光記録媒体１０，４０は、いずれも厚さが約１．２ｍｍ、直径が約１２０ｍｍの円盤状であるが、本発明の適用が可能なディスクがこれに限定されるものではない。また、その外形が円盤状であることも必須でなく、光入射面１１ａやレーベル面１１ｂが矩形状であっても構わない。
【図面の簡単な説明】
【００４３】
【図１】本発明の好ましい実施形態による光記録媒体１０の外観を模式的に示す切り欠き斜視図である。
【図２】ディスク本体１１の構造のいくつかの例を示す図であり、（ａ）は次世代型ディスク、（ｂ）はＤＶＤ型ディスクの断面をそれぞれ示している。
【図３】ＲＯＭ型ディスクにおける機能層２２の構成を示す略断面図である。
【図４】追記型ディスクにおける機能層２２の構成を示す略断面図である。
【図５】書き換え型ディスクにおける機能層２２の構成を示す略断面図である。
【図６】記録時や再生時にレーベル印刷層１２を目視可能なドライブ（記録再生装置）１００を模式的に示す斜視図である。
【図７】径方向へ連続的に延びるストライプ状の領域１２ａに蛍光体が含まれる構成を模式的に示す図である。
【図８】径方向へ断続的に配置された領域１２ｂに蛍光体が含まれる構成を模式的に示す図である。
【図９】同心円状に交互に配置された領域１２ｃ、１２ｄに異なる蛍光体が含まれる構成を模式的に示す図である。
【図１０】本発明の好ましい他の実施形態による光記録媒体４０の外観を模式的に示す切り欠き斜視図である。
【符号の説明】
【００４４】
１０，４０  光記録媒体
１１        ディスク本体
１１ａ      光入射面
１１ｂ      レーベル面
１２，４２  レーベル印刷層
１２ａ，１２ｂ，１２ｃ，１２ｄ    蛍光体を含む領域
１３        中心孔
２１        支持基板
２２，３３  機能層
２２ａ      反射層
２２ｂ      記録層
２２ｃ      誘電体層
２３        光透過層
３１        光透過性基板
３２        ダミー基板
３４        保護層
３５        接着層
４１        蛍光体層
１００      ドライブ（記録再生装置）
１１０      再生位置又は記録位置
１１１      発光領域
【図１】
2006031792.tif 000003
【図２】
2006031792.tif 000004
【図３】
2006031792.tif 000005
【図４】
2006031792.tif 000006
【図５】
2006031792.tif 000007
【図６】
2006031792.tif 000008
【図７】
2006031792.tif 000009
【図８】
2006031792.tif 000010
【図９】
2006031792.tif 000011
【図１０】
2006031792.tif 000012